(57)【要約】  相対グラントに基づいてスケジューリンググラントを生成する無線通信方法および装置が開示される。無線送受信装置（ＷＴＲＵ）は、サービング無線リンクセット（ＲＬＳ）から絶対グラントを受信し、サービングＲＬＳおよび少なくとも１つの非サービング無線リンク（ＲＬ）から少なくとも１つの相対グラントを受信する。ＷＴＲＵは、拡張専用チャネル（Ｅ−ＤＣＨ）絶対グラントチャネル（Ｅ−ＡＧＣＨ）のＥ−ＡＧＣＨ信号を復号して絶対グラントを検出し、Ｅ−ＤＣＨ相対グラントチャネル（Ｅ−ＲＧＣＨ）のＥ−ＲＧＣＨ信号を復号して少なくとも１つの相対グラントを検出する。次いで、ＷＴＲＵは、検出された絶対グラントおよび／または相対グラントに基づいて、サービンググラントを計算する。相対グラントは、Ｅ−ＲＧＣＨ信号に仮説検定を行うことによって検出することができる。サービングＲＬＳからのＥ−ＲＧＣＨ信号を検出するために複数対立仮説の仮説検定が行われ、少なくとも１つの非サービングＲＬからのＥ−ＲＧＣＨ信号を検出するために二値仮説検定が行われる。Ｅ−ＲＧＣＨ信号にはさらに信頼性試験が行われてよい。
2009507420.tif 000002
【特許請求の範囲】
【請求項１】
拡張専用チャネル（Ｅ−ＤＣＨ）絶対グラントチャネル（Ｅ−ＡＧＣＨ）を介して絶対グラントが受信され、Ｅ−ＤＣＨ相対グラントチャネル（Ｅ−ＲＧＣＨ）を介して相対グラントが受信されるように拡張アップリンク（ＥＵ）に対応する無線通信システムにおいて、サービンググラントを生成する方法であって、
（ａ）前記Ｅ−ＡＧＣＨを介して受信されたＥ−ＡＧＣＨ信号を復号して絶対グラントを検出するステップと、
（ｂ）前記Ｅ−ＲＧＣＨを介して受信されたＥ−ＲＧＣＨ信号を復号して少なくとも１つの相対グラントを検出するステップと、
（ｃ）前記検出された絶対グラントおよび前記相対グラントの少なくとも１つに基づいてサービンググラントを生成するステップと
を備えることを特徴とする方法。
【請求項２】
前記相対グラントは、前記Ｅ−ＲＧＣＨ信号に仮説検定を行うことによって検出されることを特徴とする請求項１に記載の方法。
【請求項３】
前記仮説検定は、前記Ｅ−ＲＧＣＨ信号の複数の測定値に基づいて行われることを特徴とする請求項２に記載の方法。
【請求項４】
サービング無線リンクセット（ＲＬＳ）から受信されたＥ−ＲＧＣＨ信号に基づいてＨＯＬＤコマンドが検出される条件付き確率に対するＵＰコマンドが検出される条件付き確率の第１の対数尤度比（ＬＬＲ）を計算するステップと、
前記第１のＬＬＲが第１の検出閾値以上である場合、前記相対グラントはＵＰコマンドであると判定するステップと、
前記第１のＬＬＲが前記第１の検出閾値未満である場合、前記サービングＲＬＳから受信された前記Ｅ−ＲＧＣＨ信号に基づいてＨＯＬＤコマンドが検出される条件付き確率に対するＤＯＷＮコマンドが検出される条件付き確率の第２のＬＬＲを計算するステップと、
前記第２のＬＬＲが第２の検出閾値以上である場合、前記相対グラントはＤＯＷＮコマンドであると判定するステップと、
前記第２のＬＬＲが前記第２の検出閾値未満である場合、前記相対グラントはＨＯＬＤコマンドであると判定するステップと
をさらに備えることを特徴とする請求項２に記載の方法。
【請求項５】
少なくとも１つの非サービング無線リンク（ＲＬ）から受信されたＥ−ＲＧＣＨ信号に基づいてＨＯＬＤコマンドが検出される条件付き確率に対するＤＯＷＮコマンドが検出される条件付き確率の対数尤度比（ＬＬＲ）を計算するステップと、
前記ＬＬＲが検出閾値以上である場合、前記相対グラントはＤＯＷＮコマンドであると判定するステップと、
前記ＬＬＲが前記検出閾値未満である場合、前記相対グラントはＨＯＬＤコマンドであると判定するステップと
をさらに備えることを特徴とする請求項２に記載の方法。
【請求項６】
前記Ｅ−ＲＧＣＨ信号に信頼性試験を行うステップをさらに備え、それによって前記仮説検定は、該信頼性試験に合格した場合にのみ行われることを特徴とする請求項２に記載の方法。
【請求項７】
前記信頼性試験は、前記Ｅ−ＲＧＣＨの信号対雑音比（ＳＮＲ）をＳＮＲ閾値と比較することによって行われることを特徴とする請求項６に記載の方法。
【請求項８】
前記ステップ（ｃ）は、
サービング無線リンクセット（ＲＬＳ）から受信されたスケジューリンググラントがあるかどうかを判定するステップであって、前記スケジューリンググラントは、絶対グラントと相対グラントの少なくとも１つであるステップと、
前記サービングＲＬＳから受信されたスケジューリンググラントがある場合、前記受信されたスケジューリンググラントに基づいて第１のサービンググラント候補を計算するステップと、
少なくとも１つの非サービング無線リンク（ＲＬ）から受信されたＤＯＷＮコマンドがあるかどうかを判定するステップと、
前記少なくとも１つの非サービングＲＬから受信されたＤＯＷＮコマンドがない場合、前記第１のサービンググラント候補を新しいサービンググラントとして設定するステップと
を含むことを特徴とする請求項１に記載の方法。
【請求項９】
前記少なくとも１つの非サービングＲＬから受信されたＤＯＷＮコマンドがある場合、前記ＤＯＷＮコマンドと以前のサービンググラントとに基づいて第２のサービンググラント候補を計算するステップと、
前記第１のサービンググラント候補と前記第２のサービンググラント候補のうち最小の方を新しいサービンググラントとして設定するステップと
をさらに備えることを特徴とする請求項８に記載の方法。
【請求項１０】
前記サービングＲＬＳから受信されたスケジューリンググラントがない場合、前記少なくとも１つの非サービングＲＬから受信されたＤＯＷＮコマンドがあるかどうかを判定するステップと、
前記少なくとも１つの非サービングＲＬから受信されたＤＯＷＮコマンドがある場合、前記ＤＯＷＮコマンドと以前のサービンググラントとに基づいて第２のサービンググラント候補を計算するステップと、
前記第２のサービンググラント候補を新しいサービンググラントとして設定するステップと
をさらに備えることを特徴とする請求項８に記載の方法。
【請求項１１】
拡張専用チャネル（Ｅ−ＤＣＨ）絶対グラントチャネル（Ｅ−ＡＧＣＨ）を介して絶対グラントが受信され、Ｅ−ＤＣＨ相対グラントチャネル（Ｅ−ＲＧＣＨ）を介して相対グラントが受信されるように拡張アップリンク（ＥＵ）に対応する無線通信システムにおいて、サービンググラントを生成する無線送受信装置（ＷＴＲＵ）であって、
前記Ｅ−ＡＧＣＨを介して受信されたＥ−ＡＧＣＨ信号を復号して絶対グラントを検出するＥ−ＡＧＣＨデコーダと、
前記Ｅ−ＲＧＣＨを介して受信されたＥ−ＲＧＣＨ信号を復号して少なくとも１つの相対グラントを検出するＥ−ＲＧＣＨデコーダと、
前記絶対グラントおよび前記相対グラントの少なくとも１つに基づいてサービンググラントを生成するサービンググラントプロセッサと
を備えることを特徴とするＷＴＲＵ。
【請求項１２】
前記Ｅ−ＲＧＣＨデコーダは、
サービング無線リンクセット（ＲＬＳ）から受信されたＥ−ＲＧＣＨ信号に仮説検定を行う第１の仮説検定ユニット
を備えることを特徴とする請求項１１に記載のＷＴＲＵ。
【請求項１３】
前記仮説検定ユニットは、前記Ｅ−ＲＧＣＨ信号の複数の測定値に基づいて前記仮説検定を行うことを特徴とする請求項１２に記載のＷＴＲＵ。
【請求項１４】
前記第１の仮説検定ユニットは、
前記サービング無線リンクセット（ＲＬＳ）から受信されたＥ−ＲＧＣＨ信号に基づいてＨＯＬＤコマンドが検出される条件付き確率に対するＵＰコマンドが検出される条件付き確率の第１の対数尤度比（ＬＬＲ）を計算する第１の対数尤度比（ＬＬＲ）計算ユニットと、
前記サービングＲＬＳから受信された前記Ｅ−ＲＧＣＨ信号に基づいてＨＯＬＤコマンドが検出される条件付き確率に対するＤＯＷＮコマンドが検出される条件付き確率の第２のＬＬＲを計算する第２のＬＬＲ計算ユニットと、
前記第１のＬＬＲを第１の検出閾値と比較し、前記第２のＬＬＲを第２の検出閾値と比較する閾値ユニットであって、前記第１のＬＬＲが前記第１の検出閾値以上であればＵＰコマンドを出力し、前記第２のＬＬＲが前記第２の検出閾値以上であればＤＯＷＮコマンドを出力し、それ以外の場合はＨＯＬＤコマンドを出力するように構成された閾値ユニットと
を備えることを特徴とする請求項１２に記載のＷＴＲＵ。
【請求項１５】
前記Ｅ−ＲＧＣＨデコーダはさらに、
少なくとも１つの非サービング無線リンク（ＲＬ）から受信されたＥ−ＲＧＣＨ信号に仮説検定を行う第２の仮説検定ユニット
を備えることを特徴とする請求項１２に記載のＷＴＲＵ。
【請求項１６】
前記第２の仮説検定ユニットは、
前記少なくとも１つの非サービング無線リンク（ＲＬ）から受信されたＥ−ＲＧＣＨ信号に基づいてＨＯＬＤコマンドが検出される条件付き確率に対するＤＯＷＮコマンドが検出される条件付き確率の対数尤度比（ＬＬＲ）を計算する対数尤度比（ＬＬＲ）計算ユニットと、
前記ＬＬＲを検出閾値と比較する閾値ユニットであって、前記ＬＬＲが前記検出閾値以上であればＤＯＷＮコマンドを出力し、それ以外の場合はＨＯＬＤコマンドを出力するように構成された閾値ユニットと
を備えることを特徴とする請求項１５に記載のＷＴＲＵ。
【請求項１７】
前記Ｅ−ＲＧＣＨデコーダはさらに、
前記Ｅ−ＲＧＣＨ信号に信頼性試験を行う信頼性試験ユニットを備え、それにより前記仮説検定は、前記信頼性試験に合格した場合にのみ行われることを特徴とする請求項１２に記載のＷＴＲＵ。
【請求項１８】
前記信頼性試験ユニットは、前記Ｅ−ＲＧＣＨの信号対雑音比（ＳＮＲ）をＳＮＲ閾値と比較するように構成されることを特徴とする請求項１７に記載のＷＴＲＵ。
【請求項１９】
前記サービンググラントプロセッサは、
サービング無線リンクセット（ＲＬＳ）から受信された前記絶対グラントおよび相対グラントに基づいて第１のサービンググラント候補を計算する第１のサービンググラント計算器と、
少なくとも１つの非サービング無線リンク（ＲＬ）から受信された相対グラントと以前のサービンググラントとに基づいて第２のサービンググラント候補を計算する第２のサービンググラント計算器と、
前記第１のサービンググラント候補と前記第２のサービンググラント候補とに基づいて新しいサービンググラントを出力するコントローラと
を備えることを特徴とする請求項１１に記載のＷＴＲＵ。
【請求項２０】
請求項１１に記載の前記ＷＴＲＵの前記Ｅ−ＡＧＣＨデコーダ、前記Ｅ−ＲＧＣＨデコーダ、および前記サービンググラントプロセッサを備えることを特徴とする集積回路（ＩＣ）。
【発明の詳細な説明】
【技術分野】
【０００１】
本発明は、無線通信システムに関する。より詳細には、本発明は、拡張専用チャネル（Ｅ−ＤＣＨ）相対グラントチャネル（Ｅ−ＲＧＣＨ）を介して受信される相対グラント（ｇｒａｎｔ）に基づいてスケジューリンググラントを生成する無線通信方法および装置に関する。
【背景技術】
【０００２】
拡張アップリンク（ＥＵ）は、第３世代パートナーシッププロジェクト（３ＧＰＰ）の周波数分割複信（ＦＤＤ）システムの主要な機能の１つである。ＥＵは、５．７６Ｍｂｐｓの最大データレートを提供する。ＥＵ動作に対応するために、数種のダウンリンクの物理チャネルが制御情報を伝送するのに提供されている。このダウンリンクの物理チャネルの１つがＥ−ＲＧＣＨである。
【０００３】
図１は、ＥＵに対応する従来の無線通信システム１００のブロック図である。システム１００は、無線送受信装置（ＷＴＲＵ）１０２、ノードＢ（Ｎｏｄｅ−Ｂ）１０４、および無線ネットワークコントローラ（ＲＮＣ）１０６を備える。ＲＮＣ１０６は、初期送信出力レベル、最大許容送信出力、各ノードＢにつき利用可能なチャネルリソース等の、ノードＢ１０４とＷＴＲＵ１０２についてのＥ−ＤＣＨパラメータを設定することにより、Ｅ−ＤＣＨ動作全体を制御する。ＷＴＲＵ１０２とノードＢ１０４の間には、Ｅ−ＤＣＨ１０８、Ｅ−ＤＣＨ専用物理制御チャネル（Ｅ−ＤＰＣＣＨ）１１０、ＥＤＣＨ絶対グラントチャネル（Ｅ−ＡＧＣＨ）１１２、Ｅ−ＲＧＣＨ１１４、およびＥ−ＤＣＨハイブリッド自動再送要求（Ｈ−ＡＲＱ）インディケータチャネル（Ｅ−ＨＩＣＨ）１１６が、Ｅ−ＤＣＨ動作を支援するために構築されている。
【０００４】
Ｅ−ＤＣＨ伝送のために、ＷＴＲＵ１０２は、無線リソースコントロール（ＲＲＣ）が、Ｅ−ＤＣＨ１０８を介してノードＢ１０４に報告がなされることが必要と判断した論理チャネルに対して、スケジューリング要求（レート要求としても知られている）を送信する。スケジューリング要求は、スケジューリング情報とハッピー（ｈａｐｐｙ）ビットの形で送信される。ハッピービットは、送信の時にはいつでもＥ−ＤＰＣＣＨ１１０を介して送信される。ノードＢ１０４は、Ｅ−ＡＧＣＨ１１２またはＥ−ＲＧＣＨ１１４を介してＷＴＲＵ１０２にスケジューリンググラントを送信する。スケジューリンググラント（ｓｃｈｅｄｕｌｉｎｇ  ｇｒａｎｔ;スケジューリング許可ともいう）は、絶対グラント（ａｂｓｏｌｕｔｅ  ｇｒａｎｔ;絶対的許可ともいう）と相対グラント（ｒｅｌａｔｉｖｅ ｇｒａｎｔ:相対的許可ともいう）のいずれかである。絶対グラントは、Ｅ−ＡＧＣＨ１１２を介してＥ−ＤＣＨサービング無線リンクセット（ＲＬＳ）によって送信され、相対グラントは、Ｅ−ＤＣＨサービングＲＬＳまたはＥ−ＤＣＨ非サービング無線リンク（ＲＬ）のどちらかによってＥ−ＲＧＣＨ１１４を介して送信される。ＷＴＲＵ１０２にＥ−ＤＣＨ無線リソースが割り当てられると、ＷＴＲＵ１０２は、Ｅ−ＤＣＨ１０８を介してアップリンクデータを送信する。Ｅ−ＤＣＨまたはＥ−ＤＰＣＣＨによる送信に応答して、ノードＢ１０４は、Ｅ−ＨＩＣＨ１１６を介して、肯定応答（ＡＣＫ）またはＨ−ＡＲＱ動作のための否定応答（ＮＡＣＫ）メッセージを送信する。
【０００５】
Ｅ−ＡＧＣＨ１１２は、ＷＴＲＵ１０２の最大出力比の形で絶対グラントを搬送する。最大出力比は、拡張アップリンク専用物理データチャネル（Ｅ−ＤＰＤＣＨ）の出力に対する専用物理制御チャネル（ＤＰＣＣＨ）の出力の比で与えられる。Ｅ−ＲＧＣＨ１１４は、相対グラントを搬送する。相対グラントは、絶対グラントを調整するための出力（または出力比）のＵＰまたはＤＯＷＮコマンドを意味する。Ｅ−ＤＣＨサービングＲＬＳは、ＵＰ、ＤＯＷＮ、またはＨＯＬＤコマンドを送信することができる。Ｅ−ＤＣＨ非サービングＲＬは、ＵＰまたはＨＯＬＤコマンドを送信することができる。ＵＰ、ＤＯＷＮ、またはＨＯＬＤコマンドは、それぞれ、予定されるデータ送信についてのＷＴＲＵ１０２の最大許容出力比の増大、低下、変更なしを意味する。異なる非サービングＲＬからのコマンドは、互いに異なる可能性がある。Ｅ−ＤＣＨ非サービングＲＬは、システムのデータトラフィックの過負荷を防止し、セル内およびセル間の干渉を要求されるレベルに維持するために相対グラントを送信する。
【発明の開示】
【発明が解決しようとする課題】
【０００６】
Ｅ−ＲＧＣＨ１１４の検出と復号が成功することは、システムの動作と拡張アップリンクの動作にとって重要である。したがって、Ｅ−ＲＧＣＨ信号を効率的に検出し、復号する方法および装置を備えることが望ましい。
【課題を解決するための手段】
【０００７】
本発明は、相対グラントに基づいてスケジューリンググラントを生成する無線通信方法および装置に関する。ＷＴＲＵは、サービングＲＬＳから絶対グラントを受信し、サービングＲＬＳおよび少なくとも１つの非サービングＲＬから少なくとも１つの相対グラントを受信する。ＷＴＲＵは、Ｅ−ＡＧＣＨ信号を復号して絶対グラントを検出し、Ｅ−ＲＧＣＨ信号を復号して少なくとも１つの相対グラントを検出する。次いで、ＷＴＲＵは、検出された絶対グラントおよび／または相対グラントに基づいてサービンググラントを計算する。相対グラントは、Ｅ−ＲＧＣＨ信号に仮説検定を行うことによって検出することができる。サービングＲＬＳからのＥ−ＲＧＣＨ信号を検出するために複数対立仮説の仮説検定が行われ、少なくとも１つの非サービングＲＬからのＥ−ＲＧＣＨ信号を検出するために二値仮説検定が行われる。Ｅ−ＲＧＣＨ信号にはさらに信頼性試験が行われてよい。
【０００８】
以下の説明から本発明のより詳細な理解を得ることができよう。この説明は、例として与えられ、添付図面と併せて理解すべきものである。
【発明を実施するための最良の形態】
【０００９】
以下で参照される場合、用語「ＷＴＲＵ」には、これらに限定しないが、ユーザ機器（ＵＥ）、移動局、固定または移動加入者装置、ページャ、または無線環境で動作することが可能な任意の他種の機器が含まれる。以下で参照される場合、用語「ノードＢ」には、これらに限定しないが、基地局、サイトコントローラ、アクセスポイント（ＡＰ）、または無線環境にある任意の他種のインタフェース機器が含まれる。
【００１０】
本発明の機能は、集積回路（ＩＣ）に組み込まれても、相互に接続する多数の構成要素からなる回路として構成されてもよい。
【００１１】
図２は、本発明による、Ｅ−ＲＧＣＨ信号を検出し、復号するプロセス２００の流れ図である。サービング（ｓｅｒｖｉｎｇ）ＲＬＳからＥ−ＡＧＣＨを介して受信されたＥ−ＡＧＣＨ信号が復号されて、絶対グラントを検出する（ステップ２０２）。サービングＲＬＳ、非サービングＲＬ、またはその両方からＥ−ＲＧＣＨを介して受信されたＥ−ＲＧＣＨ信号が復号されて、少なくとも１つの相対グラントを検出する（ステップ２０４）。次いで、検出された絶対グラントおよび／または相対グラントに基づいてサービンググラントが生成される（ステップ２０６）。
【００１２】
図３は、本発明により構成されたＷＴＲＵ３００のブロック図である。ＷＴＲＵ３００は、Ｅ−ＡＧＣＨデコーダ３０２、Ｅ−ＲＧＣＨデコーダ３０４、およびサービンググラントプロセッサ３０６を備える。Ｅ−ＡＧＣＨデコーダ３０２は、サービングＲＬＳから受信されたＥ−ＡＧＣＨ信号３０１を受け取り、復号して絶対グラントを検出する。検出された絶対グラントは、サービンググラントプロセッサ３０６に送られる。Ｅ−ＲＧＣＨデコーダ３０４は、Ｅ−ＲＧＣＨを介して受信された複数のＥ−ＲＧＣＨ信号３０３１〜３０３Ｌを受け取り、復号して、少なくとも１つの相対グラントを検出する。検出された相対グラントは、サービンググラントプロセッサ３０６に送られる。サービンググラントプロセッサ３０６は、絶対グラントおよび／または相対グラントに基づいてサービンググラントを生成する。
【００１３】
Ｅ−ＲＧＣＨデコーダ３０４は、第１の仮説検定ユニット３１０１と、少なくとも１つの第２の仮説検定ユニット３１０２〜３１０Ｌを備える。サービングＲＬＳから受信されたＥ−ＲＧＣＨ信号は、仮説検定の前にソフトコンバインされ、ソフトコンバインされたＥ−ＲＧＣＨ信号３０３１は、第１の仮説検定ユニット３１０１に送られる。第１の仮説検定ユニット３１０１は、ソフトコンバインされたＥ−ＲＧＣＨ信号３０３１に仮説検定を行い、サービンググラントプロセッサ３０６に相対グラント（ＵＰ、ＨＯＬＤ、またはＤＯＷＮコマンドのいずれか）を出力する。第２の仮説検定ユニット３１０２〜３１０Ｌは、非サービングＲＬから受信されたＥ−ＲＧＣＨ信号３０３２〜３０３Ｌに仮説検定を行い、少なくとも１つの相対グラント（ＨＯＬＤまたはＤＯＷＮコマンドのどちらか）をサービンググラントプロセッサ３０６に出力する。サービングＲＬＳからのＥ−ＲＧＣＨ信号を検出するために複数対立仮説の仮説検定が行われ、非サービングＲＬからのＥ−ＲＧＣＨ信号を検出するために二値仮説検定が行われる。これらについては、以降で詳細に説明する。
【００１４】
Ｅ−ＲＧＣＨデコーダ３０４はさらに、Ｅ−ＲＧＣＨ信号３０３１〜３０３Ｌを復号する前に信号の信頼性試験を行う信頼性試験ユニット３０８１〜３０８Ｌを備えることができる。信号の信頼性試験は、信号対雑音比（ＳＮＲ）の測定値に基づいて行うことができる。ＳＮＲに基づく信号の信頼性試験は一例であり、他のどのような方法が行われてもよいことに注目されたい。信頼性試験ユニット３０８１〜３０８Ｌはそれぞれ、Ｅ−ＲＧＣＨの測定（または計算）されたＳＮＲをＳＮＲ閾値と比較する。測定されたＳＮＲがＳＮＲ閾値よりも大きい場合、そのＥ−ＲＧＣＨ信号の検出は信頼できるものと判定され、その後仮説検定が行われる。そうでない場合、Ｅ−ＲＧＣＨ信号の検出は、信頼できないものと判定され、続く仮説検定は行われない。
【００１５】
相関とソフトコンバイン（ｓｏｆｔ  ｃｏｍｂｉｎｉｎｇ）の後に、ｌ番目のＲＬＳについてＥ−ＲＧＣＨが平均エネルギーＥｌを有するものと仮定する。サービングＲＬＳについて、ＵＰ、ＨＯＬＤ、およびＤＯＷＮコマンドがそれぞれ
【００１６】
【数１】
2009507420.tif 000003
【００１７】
、０、
【００１８】
【数２】
2009507420.tif 000004
【００１９】
で表される。非サービングＲＬについて、ＤＯＷＮコマンドとＨＯＬＤコマンドがそれぞれ
【００２０】
【数３】
2009507420.tif 000005
【００２１】
と０で表される。ｙｌは、ｌ番目のＲＬＳの相関後のソフトサンプルを表す。一般性を失うことなく、１番目のＲＬＳ（ｌ＝１）がサービングＲＬＳであり、残りのＲＬＳ（ｌ＝２，３，．．．，Ｌ）が非サービングＲＬであるとする。サービングＲＬＳについてのＵＰとＨＯＬＤの間を検出するための仮説検定の対数尤度比（ＬＬＲ）は、次になる。
【００２２】
【数４】
2009507420.tif 000006
【００２３】
サービングＲＬＳのＤＯＷＮとＨＯＬＤの間を検出するための仮説検定のＬＬＲは、次になる。
【００２４】
【数５】
2009507420.tif 000007
【００２５】
ここで、Ｈ０、Ｈ１、Ｈ２は、それぞれ仮説のＨＯＬＤ、ＵＰ、ＤＯＷＮを表す。相関後に分散σ２の白色ガウス雑音を仮定する。相対グラントは、
【００２６】
【数６】
2009507420.tif 000008
【００２７】
および
【００２８】
【数７】
2009507420.tif 000009
【００２９】
をそれぞれ検出閾値
【００３０】
【数８】
2009507420.tif 000010
【００３１】
および
【００３２】
【数９】
2009507420.tif 000011
【００３３】
と比較することによって検出される。サービングＲＬＳについての検出規則は以下である。
【００３４】
【数１０】
2009507420.tif 000012
【００３５】
であればＵＰ、
【００３６】
【数１１】
2009507420.tif 000013
【００３７】
であればＤＯＷＮ、
その他の場合はＨＯＬＤ。
ここで、
【００３８】
【数１２】
2009507420.tif 000014
【００３９】
は、相関とソフトコンバイン後のサービングＲＬＳのＥ−ＲＧＣＨの平均ＳＮＲを表す。
【００４０】
同様に、非サービングＲＬ（すなわちｌ番目のＲＬ）についてＤＯＷＮとＨＯＬＤの間を検出するための仮説検定のＬＬＲは、次になる。
【００４１】
【数１３】
2009507420.tif 000015
【００４２】
相対グラントは、
【００４３】
【数１４】
2009507420.tif 000016
【００４４】
を検出閾値
【００４５】
【数１５】
2009507420.tif 000017
【００４６】
と比較することによって検出される。非サービングＲＬについての検出規則は以下である。
【００４７】
【数１６】
2009507420.tif 000018
【００４８】
、ｌ＝２，３，．．．，ＬであればＤＯＷＮ、
その他の場合はＨＯＬＤ。
ここで、γｌ、ｌ＝２，３，．．．，Ｌは、相関とソフトコンバイン後の非サービングＲＬ（ｌ番目のＲＬＳ）のＥ−ＲＧＣＨの平均ＳＮＲを表す。σのノイズの推定とγのＳＮＲの推定が必要となる。閾値
【００４９】
【数１７】
2009507420.tif 000019
【００５０】
および
【００５１】
【数１８】
2009507420.tif 000020
【００５２】
、ｌ＝２，３，．．．，Ｌは、検出の性能要件と設計に基づいて決定される。最適な検出閾値は、シミュレーションで決定してよい。
【００５３】
複数の測定値を利用できる場合、ＥＲＧＣＨ信号の検出は、複数の測定値による仮説検定を使用することによって行うことができる。Ｍ個の測定値があると仮定する。
【００５４】
【数１９】
2009507420.tif 000021
【００５５】
は、ｌ番目のＲＬの相関とｍ番目の相関出力後のソフトサンプルを表す。一般性を失うことなく、１番目のＲＬＳがサービングＲＬＳであり、残りのＲＬＳが非サービングＲＬであるとする。サービングＲＬＳのＵＰとＨＯＬＤの間を検出するための複数測定値による仮説検定のＬＬＲは、次のように表される。
【００５６】
【数２０】
2009507420.tif 000022
【００５７】
サービングＲＬＳのＤＯＷＮとＨＯＬＤの間を検出するための複数測定値による仮説検定のＬＬＲは次のように表される。
【００５８】
【数２１】
2009507420.tif 000023
【００５９】
相対グラントは、
【００６０】
【数２２】
2009507420.tif 000024
【００６１】
および
【００６２】
【数２３】
2009507420.tif 000025
【００６３】
をそれぞれ検出閾値
【００６４】
【数２４】
2009507420.tif 000026
【００６５】
および
【００６６】
【数２５】
2009507420.tif 000027
【００６７】
と比較することによって検出される。複数測定値による仮説検定を使用したサービングＲＬＳについての検出規則は、以下である。
【００６８】
【数２６】
2009507420.tif 000028
【００６９】
であればＵＰ、
【００７０】
【数２７】
2009507420.tif 000029
【００７１】
であればＤＯＷＮ、
その他の場合はＨＯＬＤ。
【００７２】
同様に、複数測定値による仮説検定を使用した非サービングＲＬのＤＯＷＮとＨＯＬＤの間を検出するための仮説検定のＬＬＲは、次になる。
【００７３】
【数２８】
2009507420.tif 000030
【００７４】
相対グラントは、
【００７５】
【数２９】
2009507420.tif 000031
【００７６】
を検出閾値
【００７７】
【数３０】
2009507420.tif 000032
【００７８】
と比較することによって検出される。複数測定値による仮説検定を使用した非サービングＲＬについての検出規則は以下のようになる。
【００７９】
【数３１】
2009507420.tif 000033
【００８０】
であればＤＯＷＮ、
その他の場合はＨＯＬＤ。
【００８１】
上記の閾値
【００８２】
【数３２】
2009507420.tif 000034
【００８３】
および
【００８４】
【数３３】
2009507420.tif 000035
【００８５】
、ｌ＝２，３，．．．，Ｌは、検出の性能要件と設計に基づいて決定される。最適な検出閾値は、シミュレーションで決定することができる。
【００８６】
図４は、本発明による第１の仮説検定ユニット３１０１のブロック図である。第１の仮説検定ユニット３１０１は、第１のＬＬＲ計算ユニット４０２、第２のＬＬＲ計算ユニット４０４、および閾値ユニット４０６を備える。第１のＬＬＲ計算ユニット４０２は、受信されたＥ−ＲＧＣＨ信号３０３１に基づいて、ＨＯＬＤコマンドが検出される条件付き確率に対する、ＵＰコマンドが検出される条件付き確率の第１のＬＬＲを計算する。第２のＬＬＲ計算ユニット４０４は、受信されたＥ−ＲＧＣＨ信号３０３１に基づいて、ＨＯＬＤコマンドが検出される条件付き確率に対する、ＤＯＷＮコマンドが検出される条件付き確率の第２のＬＬＲを計算する。閾値ユニット４０６は、第１のＬＬＲを第１の検出閾値と比較し、第２のＬＬＲを第２の検出閾値と比較する。次いで、閾値ユニット４０６は、第１のＬＬＲが第１の検出閾値以上であればＵＰコマンドを出力し、第２のＬＬＲが第２の検出閾値以上であればＤＯＷＮコマンドを出力する。それ以外の場合、閾値ユニット４０６はＨＯＬＤコマンドを出力する。
【００８７】
図５は、本発明による第２の仮説検定ユニット３１０２〜３１０Ｌのブロック図である。第２の仮説検定ユニット３１０２〜３１０Ｌは、第２のＬＬＲ計算ユニット５０２と閾値ユニット５０４を備える。ＬＬＲ計算ユニット５０２は、受信されたＥ−ＲＧＣＨ信号３０３１〜３０３Ｌに基づいて、ＨＯＬＤコマンドが検出される条件付き確率に対する、ＤＯＷＮコマンドが検出される条件付き確率のＬＬＲを計算する。閾値ユニット５０４は、そのＬＬＲを検出閾値と比較する。次に、閾値ユニット５０４は、ＬＬＲが検出閾値以上であればＤＯＷＮコマンドを出力する。そうでない場合、閾値ユニット５０４は、ＨＯＬＤコマンドを出力する。
【００８８】
図６は、本発明による相対グラントコマンドを検出するプロセス６００の流れ図である。ＷＴＲＵは、サービングＲＬＳおよび／または少なくとも１つの非サービングＲＬからＥ−ＲＧＣＨ信号を受信する（ステップ６０２）。ゼロ個、１つ、または複数の非サービングＲＬがある可能性がある。ＷＴＲＵは、１番目のＲＬＳからのＥ−ＲＧＣＨ信号を選択する（ステップ６０４）。次いで、ステップ６０６で必須でない随意的な信頼性試験が行われる。信頼性試験は、例えば、そのＥ−ＲＧＣＨのＳＮＲがＳＮＲ閾値以上であるかどうかを判定することによって行うことができる。Ｅ−ＲＧＣＨのＳＮＲがＳＮＲ閾値未満である場合は、次のＲＬＳからのＥ−ＲＧＣＨ信号がステップ６３２で選択され、プロセス６００はステップ６０６に戻る。
【００８９】
信頼性試験に合格した場合（すなわちＥ−ＲＧＣＨのＳＮＲがＳＮＲ閾値以上である場合）は、受信されたＥ−ＲＧＣＨ信号がサービングＲＬＳからのものであるか、非サービングＲＬからのものであるかがさらに判定される（ステップ６０８）。受信されたＥ−ＲＧＣＨ信号がサービングＲＬＳからのものである場合は、第１のＬＬＲが計算される（ステップ６１０）。次いで、第１のＬＬＲが第１の検出閾値よりも高いかどうかが判定される（ステップ６１２）。第１のＬＬＲが第１の検出閾値よりも高い場合は、ＵＰコマンドが検出される（ステップ６１４）。そうでない場合は、第２のＬＬＲが計算される（ステップ６１６）。次いで、第２のＬＬＲが第２の検出閾値よりも高いかどうかが判定される（ステップ６１８）。第２のＬＬＲが第２の閾値よりも高い場合は、ＤＯＷＮコマンドが検出される（ステップ６２０）。そうでない場合はＨＯＬＤコマンドが検出される（ステップ６２２）。
【００９０】
受信されたＥ−ＲＧＣＨ信号が非サービングＲＬからのものであるとステップ６０８で判定された場合は、第２のＬＬＲが計算される（ステップ６２４）。次いで、第２のＬＬＲが第２の検出閾値よりも高いかどうかが判定される（ステップ６２６）。第２のＬＬＲが第２の検出閾値よりも高い場合は、ＤＯＷＮコマンドが検出される（ステップ６２８）。そうでない場合はＨＯＬＤコマンドが検出される（ステップ６３０）。
【００９１】
図７は、本発明によるサービンググラントを生成するプロセス７００の流れ図である。ＷＴＲＵは、サービングＲＬＳおよび少なくとも１つの非サービングＲＬからのスケジューリンググラント（すなわち絶対グラントと相対グラント）を監視する（ステップ７０２）。次いで、サービングＲＬＳから受信された絶対グラントまたは相対グラントがあるかどうかが判定される（ステップ７０４）。サービングＲＬＳから受信された絶対グラントまたは相対グラントがある場合は、その絶対グラントまたは相対グラントに基づいて第１のサービンググラントの候補が計算される（ステップ７０６）。次いで、非サービングＲＬから受信された少なくとも１つのＤＯＷＮコマンドがあるかどうかが判定される（ステップ７０８）。非サービングＲＬからＤＯＷＮコマンドが受信されていない場合、新しいサービンググラントは、第１のサービンググラント候補に設定され（ステップ７１０）、プロセス７００は、ステップ７２２で次の送信時間間隔（ＴＴＩ）を待ってからステップ７０４に進む。非サービングＲＬから受信されたＤＯＷＮコマンドがある場合は、そのＤＯＷＮコマンドと以前のサービンググラントに基づいて第２のサービンググラント候補が計算される（ステップ７１２）。次いで、新しいサービンググラントが、第１のサービンググラント候補と第２のサービンググラント候補のうち最小の方に設定され（ステップ７１４）、プロセス７００は、ステップ７２２で次のＴＴＩを待ってからステップ７０４に進む。新しいサービンググラントが最小のグラントに設定されるのは、サービングセルは、相対グラントの減少のステップサイズを超えてスケジューリンググラントを減らす場合があるためである。
【００９２】
ステップ７０４でサービングＲＬＳから受信された絶対グラントおよび相対グラントがないと判断された場合は、非サービングＲＬから受信されたＤＯＷＮコマンドがあるかどうかがさらに判定される（ステップ７１６）。非サービングＲＬから受信されたＤＯＷＮコマンドがない場合、プロセス７００はステップ７０２に戻ってスケジューリンググラントを監視する。非サービングＲＬから受信されたＤＯＷＮコマンドがある場合は、そのＤＯＷＮコマンドと以前のサービンググラントに基づいて第２のサービンググラント候補が計算される（ステップ７１８）。次いで、新しいサービンググラントが第２のサービンググラント候補に設定され（ステップ７２０）、プロセス７００は、ステップ７２２で次のＴＴＩを待ってからステップ７０４に進む。
【００９３】
（実施形態）
１．Ｅ−ＡＧＣＨを介して絶対グラントが受信され、Ｅ−ＲＧＣＨを介して相対グラントが受信されるようにＥＵに対応する無線通信システムでサービンググラントを生成する方法。
【００９４】
２．Ｅ−ＡＧＣＨを介して受信されたＥ−ＡＧＣＨ信号を復号して絶対グラントを検出するステップを備える実施形態１に記載の方法。
【００９５】
３．Ｅ−ＲＧＣＨを介して受信されたＥ−ＲＧＣＨ信号を復号して少なくとも１つの相対グラントを検出するステップを備える実施形態１および２のいずれかに記載の方法。
【００９６】
４．検出された絶対グラントおよび相対グラントの少なくとも１つに基づいてサービンググラントを生成するステップを備える実施形態１〜３のいずれかに記載の方法。
【００９７】
５．相対グラントは、Ｅ−ＲＧＣＨ信号に仮説検定を行うことによって検出される実施形態３および４のいずれかに記載の方法。
【００９８】
６．仮説検定は、Ｅ−ＲＧＣＨ信号の複数の測定値に基づいて行われる実施形態５に記載の方法。
【００９９】
７．サービングＲＬＳから受信されたＥ−ＲＧＣＨ信号に基づいてＨＯＬＤコマンドが検出される条件付き確率に対するＵＰコマンドが検出される条件付き確率の第１のＬＬＲを計算するステップを備える実施形態５および６のいずれかに記載の方法。
【０１００】
８．第１のＬＬＲが第１の検出閾値以上である場合、相対グラントはＵＰコマンドであると判定するステップを備える実施形態７に記載の方法。
【０１０１】
９．第１のＬＬＲが第１の検出閾値未満である場合、サービングＲＬＳから受信されたＥ−ＲＧＣＨ信号に基づいてＨＯＬＤコマンドが検出される条件付き確率に対するＤＯＷＮコマンドが検出される条件付き確率の第２のＬＬＲを計算するステップを備える実施形態７および８のいずれかに記載の方法。
【０１０２】
１０．第２のＬＬＲが第２の検出閾値以上である場合、相対グラントはＤＯＷＮコマンドであると判定するステップを備える実施形態９に記載の方法。
【０１０３】
１１．第２のＬＬＲが第２の検出閾値未満である場合、相対グラントはＨＯＬＤコマンドであると判定するステップを備える実施形態９および１０のいずれかに記載の方法。
【０１０４】
１２．少なくとも１つの非サービングＲＬから受信されたＥ−ＲＧＣＨ信号に基づいてＨＯＬＤコマンドが検出される条件付き確率に対するＤＯＷＮコマンドが検出される条件付き確率のＬＬＲを計算するステップを備える実施形態５〜１１のいずれかに記載の方法。
【０１０５】
１３．ＬＬＲが検出閾値以上である場合、相対グラントはＤＯＷＮコマンドであると判定するステップを備える実施形態１２に記載の方法。
【０１０６】
１４．ＬＬＲが検出閾値未満である場合、相対グラントはＨＯＬＤコマンドであると判定するステップを備える実施形態１２および１３のいずれかに記載の方法。
【０１０７】
１５．Ｅ−ＲＧＣＨ信号に信頼性試験を行うステップを備える実施形態５〜１４のいずれかに記載の方法。
【０１０８】
１６．仮説検定は、信頼性試験に合格した場合にのみ行われる実施形態１５に記載の方法。
【０１０９】
１７．信頼性試験は、Ｅ−ＲＧＣＨのＳＮＲをＳＮＲ閾値と比較することによって行われる実施形態１５および１６のいずれかに記載の方法。
【０１１０】
１８．サービングＲＬＳから受信されたスケジューリンググラントがあるかどうかを判定するステップであって、スケジューリンググラントは、絶対グラントと相対グラントの少なくとも１つであるステップを備える実施形態４〜１７のいずれかに記載の方法。
【０１１１】
１９．サービングＲＬＳから受信されたスケジューリンググラントがある場合、受信されたスケジューリンググラントに基づいて第１のサービンググラント候補を計算するステップを備える実施形態１８に記載の方法。
【０１１２】
２０．少なくとも１つの非サービングＲＬから受信されたＤＯＷＮコマンドがあるかどうかを判定するステップを備える実施形態１９に記載の方法。
【０１１３】
２１．少なくとも１つの非サービングＲＬから受信されたＤＯＷＮコマンドがない場合、第１のサービンググラント候補を新しいサービンググラントとして設定するステップを備える実施形態２０に記載の方法。
【０１１４】
２２．少なくとも１つの非サービングＲＬから受信されたＤＯＷＮコマンドがある場合、当該ＤＯＷＮコマンドと以前のサービンググラントとに基づいて第２のサービンググラント候補を計算するステップを備える実施形態２１に記載の方法。
【０１１５】
２３．第１のサービンググラント候補と第２のサービンググラント候補のうち最小の方を新しいサービンググラントとして設定するステップを備える実施形態２２に記載の方法。
【０１１６】
２４．サービングＲＬＳから受信されたスケジューリンググラントがない場合、少なくとも１つの非サービングＲＬから受信されたＤＯＷＮコマンドがあるかどうかを判定するステップを備える実施形態１８〜２３のいずれかに記載の方法。
【０１１７】
２５．少なくとも１つの非サービングＲＬから受信されたＤＯＷＮコマンドがある場合、当該ＤＯＷＮコマンドと以前のサービンググラントとに基づいて第２のサービンググラント候補を計算するステップを備える実施形態２４に記載の方法。
【０１１８】
２６．第２のサービンググラント候補を新しいサービンググラントとして設定するステップを備える実施形態２５に記載の方法。
【０１１９】
２７．Ｅ−ＡＧＣＨを介して絶対グラントが受信され、Ｅ−ＲＧＣＨを介して相対グラントが受信されるようにＥＵに対応する無線通信システムにおいてサービンググラントを生成するＷＴＲＵ。
【０１２０】
２８．Ｅ−ＡＧＣＨを介して受信されたＥ−ＡＧＣＨ信号を復号して絶対グラントを検出するＥ−ＡＧＣＨデコーダを備える実施形態２７に記載のＷＴＲＵ。
【０１２１】
２９．Ｅ−ＲＧＣＨを介して受信されたＥ−ＲＧＣＨ信号を復号して少なくとも１つの相対グラントを検出するＥ−ＲＧＣＨデコーダを備える実施形態２７および２８のいずれかに記載のＷＴＲＵ。
【０１２２】
３０．絶対グラントおよび相対グラントの少なくとも１つに基づいてサービンググラントを生成するサービンググラントプロセッサを備える実施形態２７〜２９のいずれかに記載のＷＴＲＵ。
【０１２３】
３１．Ｅ−ＲＧＣＨデコーダは、サービングＲＬＳから受信されたＥ−ＲＧＣＨ信号に仮説検定を行う第１の仮説検定ユニットを備える実施形態２９および３０のいずれかに記載のＷＴＲＵ。
【０１２４】
３２．仮説検定ユニットは、Ｅ−ＲＧＣＨ信号の複数の測定値に基づいて仮説検定を行う実施形態３１に記載のＷＴＲＵ。
【０１２５】
３３．第１の仮説検定ユニットは、サービングＲＬＳから受信されたＥ−ＲＧＣＨ信号に基づいてＨＯＬＤコマンドが検出される条件付き確率に対するＵＰコマンドが検出される条件付き確率の第１のＬＬＲを計算する第１のＬＬＲ計算ユニットを備える実施形態３１および３２のいずれかに記載のＷＴＲＵ。
【０１２６】
３４．第１の仮説検定ユニットは、サービングＲＬＳから受信されたＥ−ＲＧＣＨ信号に基づいてＨＯＬＤコマンドが検出される条件付き確率に対するＤＯＷＮコマンドが検出される条件付き確率の第２のＬＬＲを計算する第２のＬＬＲ計算ユニットを備える実施形態３３に記載のＷＴＲＵ。
【０１２７】
３５．第１の仮説検定ユニットは、第１のＬＬＲを第１の検出閾値と比較し、第２のＬＬＲを第２の検出閾値と比較する閾値ユニットであって、第１のＬＬＲが第１の検出閾値以上であればＵＰコマンドを出力し、第２のＬＬＲが第２の検出閾値以上であればＤＯＷＮコマンドを出力し、それ以外の場合はＨＯＬＤコマンドを出力するように構成された閾値ユニットを備える実施形態３４に記載のＷＴＲＵ。
【０１２８】
３６．Ｅ−ＲＧＣＨデコーダはさらに、少なくとも１つの非サービングＲＬから受信されたＥ−ＲＧＣＨ信号に仮説検定を行う第２の仮説検定ユニットを備える実施形態２９〜３５のいずれかに記載のＷＴＲＵ。
【０１２９】
３７．第２の仮説検定ユニットは、少なくとも１つの非サービングＲＬから受信されたＥ−ＲＧＣＨ信号に基づいてＨＯＬＤコマンドが検出される条件付き確率に対するＤＯＷＮコマンドが検出される条件付き確率のＬＬＲを計算するＬＬＲ計算ユニットを備える実施形態３６に記載のＷＴＲＵ。
【０１３０】
３８．第２の仮説検定ユニットは、ＬＬＲを検出閾値と比較する閾値ユニットであって、ＬＬＲが検出閾値以上であればＤＯＷＮコマンドを出力し、それ以外の場合はＨＯＬＤコマンドを出力するように構成された閾値ユニットを備える実施形態３７に記載のＷＴＲＵ。
【０１３１】
３９．Ｅ−ＲＧＣＨデコーダはさらに、Ｅ−ＲＧＣＨ信号に信頼性試験を行う信頼性試験ユニットを備える実施形態２９〜３８のいずれかに記載のＷＴＲＵ。
【０１３２】
４０．仮説検定は、信頼性試験に合格した場合にのみ行われる実施形態３９に記載のＷＴＲＵ。
【０１３３】
４１．信頼性試験ユニットは、Ｅ−ＲＧＣＨのＳＮＲをＳＮＲ閾値と比較するように構成される実施形態３９および４０のいずれかに記載のＷＴＲＵ。
【０１３４】
４２．サービンググラントプロセッサは、サービングＲＬＳから受信された絶対グラントおよび相対グラントに基づいて第１のサービンググラント候補を計算する第１のサービンググラント計算器を備える実施形態３０〜４１のいずれかに記載のＷＴＲＵ。
【０１３５】
４３．サービンググラントプロセッサは、少なくとも１つの非サービングＲＬから受信された相対グラントと以前のサービンググラントとに基づいて第２のサービンググラント候補を計算する第２のサービンググラント計算器を備える実施形態４２に記載のＷＴＲＵ。
【０１３６】
４４．サービンググラントプロセッサは、第１のサービンググラント候補と第２のサービンググラント候補とに基づいて新しいサービンググラントを出力するコントローラを備える実施形態４３に記載のＷＴＲＵ。
【０１３７】
４５．実施形態２８〜４４のいずれかに記載のＥ−ＡＧＣＨデコーダを備える集積回路（ＩＣ）。
【０１３８】
４６．実施形態２９〜４４のいずれかに記載のＥ−ＲＧＣＨデコーダを備える実施形態４５に記載のＩＣ。
【０１３９】
４７．実施形態３０〜４４のいずれかに記載のサービンググラントプロセッサを備える実施形態４５および４６のいずれかに記載のＩＣ。
【０１４０】
本発明の機能および要素について、特定の組み合わせで好ましい実施形態で説明したが、各機能または要素は、それら好ましい実施形態の他の機能および要素を用いずに単独で使用されることができ、または本発明の他の機能および要素と共に、または他の機能および要素を用いずに各種の組み合わせで使用されることができる。
【図面の簡単な説明】
【０１４１】
【図１】従来の無線通信システムのブロック図である。
【図２】本発明によりＥ−ＲＧＣＨ信号を検出および復号するプロセスの流れ図である。
【図３】本発明により構成されたＷＴＲＵのブロック図である。
【図４】図３の第１の仮説検定ユニットのブロック図である。
【図５】図３の第２の仮説検定ユニットのブロック図である。
【図６】本発明により相対グラントコマンドを検出するプロセスの流れ図である。
【図７】本発明によりサービンググラントを生成するプロセスの流れ図である。
【図１】
2009507420.tif 000036
【図２】
2009507420.tif 000037
【図３】
2009507420.tif 000038
【図４】
2009507420.tif 000039
【図５】
2009507420.tif 000040
【図６】
2009507420.tif 000041
【図７】
2009507420.tif 000042